(57)【要約】【課題】光透過率の向上が図れ、開放感のある明るい内観を実現できると共に意匠性の向上が図れる目隠しフェンスを提供する。【解決手段】上下方向又は左右方向に平行に配設される構造材３と、該構造材３の正面にその長手方向に所定間隔で平行に配設される格子材４とを備えた目隠しフェンス１であって、上記格子材４は、形材からなる一対の側枠５と、両側枠５間に介設される透明又は半透明な光透過材６と、両側枠５の端部に装着され上記光透過材６の端部を覆う端部キャップ７とを具備している。【選択図】図１
2008223414.tif 000002
【特許請求の範囲】
【請求項１】
上下方向又は左右方向に平行に配設される構造材と、該構造材の正面にその長手方向に所定間隔で平行に配設される格子材とを備えた目隠しフェンスであって、上記格子材は、形材からなる一対の側枠と、両側枠間に介設される透明又は半透明な光透過材と、両側枠の端部に装着され上記光透過材の端部を覆う端部キャップとを具備することを特徴とする目隠しフェンス。
【発明の詳細な説明】
【技術分野】
【０００１】
本発明は、目隠しフェンスに係り、特に採光性及び意匠性の向上を図った目隠しフェンスに関する。
【背景技術】
【０００２】
外部から建物内や敷地内が素通しにならないようにある程度の遮蔽性と透視性を確保し、プライバシーの保護と防犯性の向上を図った目隠しフェンスが知られている（例えば特許文献１参照）。この目隠しフェンスは、例えば上下方向又は左右方向に平行に配設される構造材と、該構造材の正面にその長手方向に所定間隔で平行に配設される格子材とから主に構成されている。
【０００３】
例えば、上記格子材の幅が５０ｍｍとすると、目隠しフェンスは、隣り合う格子材間に５０ｍｍの隙間が生じるように格子材を所定の間隔で配設して構成される。
【０００４】
【特許文献１】特開２００４−３６２９８号公報
【発明の開示】
【発明が解決しようとする課題】
【０００５】
しかしながら、上記目隠しフェンスにおいては、格子面により光が遮られ、光透過率が５０％であるため、敷地内等の内観が暗くなり、密閉塀と同様な圧迫感を与え、快適な空間を損ねるという不具合があった。
【０００６】
本発明は、上記事情を考慮してなされたものであり、光透過率の向上が図れ、開放感のある明るい内観を実現できると共に意匠性の向上が図れる目隠しフェンスを提供することを目的とする。
【課題を解決するための手段】
【０００７】
本発明は、上下方向又は左右方向に平行に配設される構造材と、該構造材の正面にその長手方向に所定間隔で平行に配設される格子材とを備えた目隠しフェンスであって、上記格子材は、形材からなる一対の側枠と、両側枠間に介設される透明又は半透明な光透過材と、両側枠の端部に装着され上記光透過材の端部を覆う端部キャップとを具備することを特徴とする。
【発明の効果】
【０００８】
本発明によれば、格子材を形材からなる一対の側枠と、両側枠間に介設される透明又は半透明な光透過材とにより構成したので、光透過率の向上が図れ、開放感のある明るい内観を実現できると共に意匠性の向上が図れる。
【発明を実施するための最良の形態】
【０００９】
以下に、本発明を実施するための最良の形態について、添付図面を基に詳述する。図１は本発明の実施の形態である目隠しフェンスを概略的に示す図で、（ａ）は正面図、（ｂ）は（ａ）のＡ−Ａ線拡大断面図、図２は端部キャップを示す図で、（ａ）は正面図、（ｂ）は底面図、（ｃ）は側面図である。
【００１０】
図１において、１は目隠しフェンスであり、この目隠しフェンス１は、左右一対の支柱２と、これら支柱２間に左右方向に平行に配設された構造材である胴縁３と、これら胴縁３の正面にその長手方向に所定間隔で平行に配設された格子材４とから主に構成されている。上記支柱２は、例えば敷地や建物のベランダの手摺壁等に設置される。上記支柱２及び胴縁３は、例えばアルミ合金の押出形材からなっている。
【００１１】
上記格子材４は、形材例えばアルミ合金の押出形材からなる一対の側枠５と、両側枠５間に介設される透明又は半透明な光透過材６と、両側枠５の端部に装着され上記光透過材６の端部を覆う端部キャップ７とを具備している。上記両側枠５は、左右対称形状をしている。側枠５は、左右の幅Ｄが１０ｍｍ程度、前後の奥行きＥが５０ｍｍ程度とされている。側枠５の前部には一側面（内側面）に開口したスリット８が長手方向に連続して形成されることにより横断面略Ｃ字状とされた係合受部１０が形成されていると共に、スリット８の近傍には端部キャップ７をネジ止めするネジ１１を捩じ込むためのタッピングホール１２が形成されている。また、側枠５の後部側は長手方向に連続した中空部１３を有する構造（ホロー構造）とされている。側枠５には内部を前後に仕切る仕切壁１４が形成され、この仕切壁１４を挟んで前部側に係合受部１０が形成され、後部側に中空部１３が形成されている。また、上記仕切壁１４の一部に上記タッピングホール１２が形成されている。
【００１２】
一方、上記光透過材６は、板状のソリッド構造であり、その両側部には上記係合受部１０にその長手方向からスライド可能に係合する係合部１５が一体形成されている。図示例の場合、係合部１５は側方に開口した断面略Ｕ字状に形成され、その一側には外向きのリブ１６が長手方向に連続して形成されている。上記側枠５の係合受部１０内には断面略Ｕ字状の係合部１５の先端側両内側部に係合する一対のリブ１７と、上記外向きのリブ１６に係合する内向きのリブ１８がそれぞれ長手方向に形成されている。
【００１３】
上記光透過材６は、合成樹脂形材からなっており、例えば水色等の着色が施されていることが好ましい。光透過材６は、透明であっても、半透明であっても良い。スリット８を内側に向けて配置した左右一対の側枠５の係合受部１０に光透過材６の両係合部１５を長手方向一端からスライド可能に係合させて両側枠５間に光透過材６を介設することにより、外面側に光透過材６を有する断面略Ｕ字状の格子材４が組立てられる。この組立状態において、光透過材６の外面は、側枠５の前端面よりも若干（２〜３ｍｍ程度）内側に後退した段落ち構造になっており、これにより光透過材６が傷つきにくい構造になっている。
【００１４】
上記端部キャップ７は、図２に示すように、上記格子材４の端面に当接されて該端面を覆うべく平面略Ｕ字状に形成された本体部２０を有し、この本体部２０には上記側枠５の中空部１３に嵌合される嵌合部２１と、上記光透過材６の端部の内外両面に沿ってそれぞれを覆うように立ち上がったカバー部２２，２３とが一体に形成されている。これらのカバー部２２，２３は、側枠５と光透過材６の熱膨張率の違いにより光透過材６の端部に発生する隙間を覆い隠すようになっている。上記本体部２０にはこれをネジ止めすべく上記ネジ１１を上記タッピングホール１２に捩じ込むための孔部２４が形成されている。上記タッピングホール１２は、上記光透過材６の係合部１５と接する部分が開口するように断面略Ｃ字状に形成されており、このタッピングホール１２にネジ１１が捩じ込まれると、光透過材６の係合部１５にもネジ１１が食い込まれ、これにより光透過材６の端部側と側枠５の端部側とが互いに結合され、熱膨張差により光透過材の端部が側枠５の端部よりも引っ込むのを抑制している。このように構成された格子材４は、図１（ｂ）に示すように後端部が前記胴縁３に当接するように配置され、胴縁側から後端部にネジ２５を捩じ込むことにより胴縁３に固定される。
【００１５】
このように構成された目隠しフェンス１によれば、左右方向に平行に配設される胴縁（構造材）３と、該胴縁３の正面にその長手方向に所定間隔で平行に配設される格子材４とを備え、上記格子材４は、形材からなる一対の側枠５と、両側枠５間に介設される透明又は半透明な光透過材６と、両側枠５の端部に装着され上記光透過材６の端部を覆う端部キャップ７とを具備しているため、光透過率の向上が図れ、開放感のある明るい内観を実現できると共に外観の意匠性の向上が図れる。すなわち、上記格子材４の場合、各側枠の幅Ｄが１０ｍｍ、光透過材６が装着される両側枠間の幅Ｆが３０ｍｍで格子材４全体の幅が５０ｍｍだとすると、該格子材４を５０ｍｍ程度の隙間Ｓ（図１参照）が存するように１００ｍｍピッチで配設した場合、光透過率が８０％になり、光透過率が５０％の従来の目隠しフェンスに比して光透過率を６０％向上させることができる。
【００１６】
また、上記格子材４の端部には端部キャップ７が取付けられ、この端部キャップ７には光透過材６の端部の内外面を覆うカバー部２２，２３を有しているため、光透過材６の端部の伸縮や切り口の粗さを覆い隠すことができ、意匠性の向上が図れる。上記格子材４にあっては、アルミと樹脂の複合構造のため、側枠５と光透過材６との間に暑さ寒さで伸び縮みの差が出易いが、タッピングホール１２に捩じ込まれるネジ１１で側枠５と光透過材６の二部材を結合し、端部キャップ７と側枠５と光透過材６の三部材を同時にネジ固定する構造であるため、側枠５と光透過材６の端部のずれを防止することができる。また、上記光透過材６においては、ソリッド形状であるため、切断時の切粉も簡単に除去することができる。
【００１７】
図３〜図１０は格子材の変形例を示す概略的断面図である。これらの図において、図１（ｂ）と同一部分は同一参照符号を付して説明を省略する。図３の格子材４は、両側枠５の前後の奥行きを短くしたものである。図４の格子材４は、側枠５の前部側を中空部２６を有するホロー構造として前方へ延出させ、格子材４を横断面Ｈ字状に形成したものである。この場合、光透過材６の係合部１５にタッピングホール３３が形成されており、側枠５にはタッピングホール３３にネジ１１が捩じ込まれる際に該ネジ１１が食い込む突条部３４が形成されている。図５の格子材４は、図４の格子材４の両側枠５の前後の奥行きを短くしたものである。
【００１８】
図６の格子材４は、図４の格子材４の一方の側枠５の外側面２７を断面円弧状に膨らませて形成したものである。図７の格子材４は、両側枠５の後部側にも係合受部１０を形成して光透過材６を介設し、両側枠５と両光透過材６により囲まれた中空部２８を有する横断面中空方形状に形成したものである。図８の格子材４は、図７の格子材４の前後の光透過材６同士を左右一対の連結板部３０で連結して一体形成し、光透過材６を中空部３１を有する一体構造にすると共に、光透過材６の係合部１５の形状を簡素化したものである。図９の格子材４は、図８の格子材４における一体構造の光透過材６の中空部３１をなくした構造としたものである。図１０の格子材４は、左右の側枠５を前後に長い横断面長方形の中空構造とし、両側枠５の前端部間に板状の光透過材６を掛け渡した状態に取付け、該光透過材６の前面両側部に縦長の装飾材３２を取付けたものである。
【００１９】
以上、本発明の実施の形態を図面により詳述してきたが、本発明は前記実施の形態に限定されるものではなく、本発明の要旨を逸脱しない範囲での種々の設計変更等が可能である。例えば、前記実施の形態の目隠しフェンスは、構造材を左右方向に平行に配設し、該構造材の正面にその長手方向に所定間隔で垂直の格子材を平行に配設して成るが、目隠しフェンスとしては、構造材を上下方向に平行に配設し、該構造材の正面にその長手方向に所定間隔で水平の格子材を平行に配設して成るものであってもよい。
【図面の簡単な説明】
【００２０】
【図１】本発明の実施の形態である目隠しフェンスを概略的に示す図で、（ａ）は正面図、（ｂ）は（ａ）のＡ−Ａ線拡大断面図である。
【図２】端部キャップを示す図で、（ａ）は正面図、（ｂ）は底面図、（ｃ）は側面図である。
【図３】格子材の変形例を示す概略的断面図である。
【図４】格子材の他の例を示す概略的断面図である。
【図５】格子材の他の例を示す概略的断面図である。
【図６】格子材の他の例を示す概略的断面図である。
【図７】格子材の他の例を示す概略的断面図である。
【図８】格子材の他の例を示す概略的断面図である。
【図９】格子材の他の例を示す概略的断面図である。
【図１０】格子材の他の例を示す概略的断面図である。
【符号の説明】
【００２１】
１  目隠しフェンス
３  胴縁（構造材）
４  格子材
５  側枠
６  光透過材
７  端部キャップ
【図１】
2008223414.tif 000003
【図２】
2008223414.tif 000004
【図３】
2008223414.tif 000005
【図４】
2008223414.tif 000006
【図５】
2008223414.tif 000007
【図６】
2008223414.tif 000008
【図７】
2008223414.tif 000009
【図８】
2008223414.tif 000010
【図９】
2008223414.tif 000011
【図１０】
2008223414.tif 000012